(57)【要約】【課題】  池・湖・河川・ダム湖等の水系に発生するアオコ群生体を、自然力によって又は動力源を少なくして所定の封鎖水域に集約させ、効率的にアオコを微小生物に捕食させるアオコの排除設備の提供。【解決手段】  池等の水系の一区画をアオコ群生体分画体Ｂ１，Ｂ２で囲ってアオコ群生体封鎖域Ｆを形成し、前記アオコ群生体分画体Ｂ１，Ｂ２の一部にアオコ群生体封鎖域Ｆ外から域内にアオコ群生体Ａを移動させるアオコ群生体一方向移動手段ＯＷを設け、前記アオコ群生体封鎖域の隣接した水域にアオコ単体を餌として捕食する水生の微小生物を生育させる捕食微小生物生育装置Ｈを複数配置した捕食水域ＳＦを形成し、アオコ群生体封鎖域Ｆ内のアオコ群生体Ａを水とともに吸引してアオコ群生体の基質のシースを破砕分散させてアオコ単体状態にして、前記捕食水域ＳＦ内に放出するアオコ群生体破砕装置Ｃを設ける。【選択図】図１
0003203774.tif 000002
【実用新案登録請求の範囲】
【請求項１】
河川・池又はダム湖の水系環境に発生するアオコの排除設備であって、
水系環境の水域の一区画をアオコ群生体の移動を遮断するアオコ群生体分画体で囲ってアオコ群生体封鎖域を形成するとともに、
前記アオコ群生体封鎖域を囲う前記アオコ群生体分画体の一部に、アオコ群生体封鎖域の域外から域内へアオコ群生体を移動させることができるアオコ群生体一方向移動手段を設け、前記アオコ群生体封鎖域の隣接した水域にアオコ単体を餌として捕食する水生の微小生物を多数生育させる捕食微小生物生育装置を複数配置した捕食水域を形成し、
前記アオコ群生体封鎖域内のアオコ群生体を水とともに吸引してアオコ群生体の基質のシースを破砕分散させてアオコ単体状態にして前記捕食水域内に放出するアオコ群生体破砕装置を複数設け、
水系環境に発生したアオコ群生体を一方向移動手段で域外から域内のアオコ群生体封鎖域へ集めて、同域でアオコ群生体破砕装置によってアオコ群生体のシースを破砕してアオコ単体にして、前記捕食水域内の捕食微小生物生育装置で生育した捕食微小生物で捕食させてアオコを減少させることを特徴とする、アオコの排除設備。
【請求項２】
アオコ群生体一方向移動手段が、アオコ群生体分画体の水面に近い所要水深さで上下巾をもって開口した移動口を設け、前記移動口を閉鎖できる面積を有するアオコ群生体を通過させない遮断体の一辺を前記移動口の上辺又は下辺に止着し、前記遮断体がアオコ群生体封鎖域内側となるように遮断体の上下のいずれかの自由端にフロート又は重りを取付けた構造であり、水面に生じる表面水流によって遮断体が移動口を開閉してアオコ群生体封鎖域の域外から域内へアオコ群生体の一方向のみの移動を可能とした、請求項１記載のアオコの排除設備。
【請求項３】
前記遮断体の下辺を移動口下辺に取り付け、遮断体の上辺にフロートを取り付けて、遮断体の上辺のフロートがアオコ群生体封鎖域内側になるように斜めにした、請求項２記載のアオコの排除設備。
【請求項４】
前記遮断体の上辺を移動口上辺に取り付け、遮断体の下辺に所要の重さの重りを取り付けて、遮断体の下辺がアオコ群生体封鎖域内側になるようにした、請求項２記載のアオコの排除設備。
【請求項５】
アオコ群生体破砕装置が、水とともに吸引したアオコ群生体をノズルから噴射して衝撃板に当てて放出する構造であり、アオコ群生体のシースが衝撃板との衝撃力で破砕分散してアオコ単体にして放出する構造のものである、請求項１〜４いずれか記載のアオコの排除設備。
【請求項６】
アオコ群生体破砕装置が、水中ポンプで水とともに吸引したアオコ群生体を衝突筒の中央の噴射孔から噴射して衝突筒の内面に当てて放出する構造であり、アオコ群生体のシースが衝突筒の筒内面との衝撃力で破砕分散してアオコ単体にして放出する構造のものである、請求項１〜５いずれか記載のアオコの排除設備。
【請求項７】
水系が河川でその支流が本流に合流する支流河口の本流との合流水域に支流河口を囲うようにアオコ群生体分画体を配置し、同アオコ群生体分画体で囲まれた支流河口水域をアオコ群生体封鎖域とし、同アオコ群生体封鎖域に隣接した本流の下流側に捕食微小生物生育装置を配置して捕食水域を形成した、請求項１〜６いずれか記載のアオコの排除設備。
【請求項８】
前記捕食微小生物生育装置が、水面上のフロートで浮上支持された水面部材から垂直に吊り下げられたアオコを捕食する水生の捕食微小生物の住処を与える生育吊下体を多数本吊下した構造である、請求項１〜７いずれか記載のアオコの排除設備。
【請求項９】
前記捕食微小生物生育装置の多数本吊下した生育吊下体の外周を囲むように底面が開放された筒状アオコ群生体遮断カーテンを水面部材に取付け、同筒状アオコ群生体遮断カーテンを左右に分けて開放できる縦長のファスナーを設けた、請求項８記載のアオコの排除設備。
【考案の詳細な説明】
【技術分野】
【０００１】
本考案は、貯水ダム，河川，池等の水系環境の水の水面に発生する１０μｍ〜１５ｃｍ程の粘性あるシースによってアオコ単体を連結して塊状となった多数のアオコ群生体を除去し、アオコ群生体による河川・池・ダム湖の水中酸素欠損、水中への太陽光の透射遮断、又アオコが生産する有毒物発生等によって、これら水系の水質環境を悪化させ、又他の魚等の動物の生息環境を悪化させる。このアオコ群生体を効率的に除去して水系水質を良好にし、又アオコ群生体から発生する有害な化学物質・異臭味物質を軽減し、水中酸素を増大させる環境浄化技術に関する。
【背景技術】
【０００２】
アオコ単体の大きさは数μｍ程であるが、アオコ群生体はシースで連結されて１０μｍ〜１５ｃｍ程の塊状となってこれらが多数個集合して水面を覆うようになる。そして、多数個のアオコ群生体は水中を酸欠にし、水質を悪くする。
このアオコ及びアオコ群生体を除去して水質浄化する技術として、特許文献１の発明が知られている。この特許文献１の発明は、アオコ等の藻類が発生する水域に仕切りによって藻類を集積させる閉鎖的水域を設け、同閉鎖的水域の水を吸引して吐き出す吸引装置を設けるとともに、同吸引装置から吐出された水からひも状繊維方式の生物処理装置によって藻類を除去するとともに、処理後の水を水域に戻す。同水域には発生したアオコ群生体を破砕するとともに破砕物と水を閉鎖的水域の吸引装置の方へ誘導する水流機を複数設ける構成のものである。
【０００３】
しかしながら、この特許文献１の考案では、水流機によってアオコの群生体を粉砕させるが、粉砕したアオコ群生体は水域に分散放出するためアオコが再び群生体を形成する恐れがある。これを避けるため、早急にアオコが多い水域の水を吸引装置へ移動して生物処理装置で処理せねばアオコ群生体が水域に残留・増殖することとなる。そのため、水域のアオコを除去するためには、強力な吸引装置と高い能力の生物処理装置を設けねばならないという欠点がある。又、水流機を複数配置して動力でもって作動せねばならないので、エネルギー消費量が高く、処理コストが嵩むものとなる。
【０００４】
又、エアレーションを用いて水面付近の増殖期にあるアオコを所定深さ以下の水中に拡散させることで、魚介類の浄化能力でアオコを除去する技術が特許文献２に開示されている。
【０００５】
しかしながら、水面上のアオコ・アオコ群生体をエアレーションで水中深くに送り込んでもかなりの割合で水面へ戻ってアオコの群生が開始されるため、アオコの繁殖を充分に抑えることが難しいと判断される。又、魚介類が少ない水域では水中に拡散されたアオコの魚の捕食による減少はあまり期待できないものと判断される。
【０００６】
更に、河川の一部水域に繁殖したアオコ等の藻類を河川からの流入水を用いて水深の深い河川側方へ送ることで、藻類の増殖抑制方法が特許文献３に開示されている。
【０００７】
この特許文献３の発明は、アオコ群生体を河川の下流に流すだけであり、下流域にアオコ群生体の増殖が発生する可能性が高い。アオコ群生体の個体数を減少させるものではない。
【０００８】
更に、アオコを水面近くに配された水中浮遊型水浄化装置によって、水浄化装置の水中に垂らした細菌・微小生物を着生した生物担体を用いて浄化する技術が特許文献４に開示されている。
しかし、アオコ群生体は塊状のシースで連結された内部にアオコ単体を存在させるため、シースが細菌・微小生物の浄化を阻んで、アオコ単体の減少にその機能を期待しにくいものである。
【先行技術文献】
【特許文献】
【０００９】
【特許文献１】特開２００４−８２０１５号公報
【特許文献２】特開２０１４−２２４３６０号公報
【特許文献３】特開２００６−７２５号公報
【特許文献４】特許第３１１３７５４号公報
【考案の概要】
【考案が解決しようとする課題】
【００１０】
本考案が解決しようとする課題は、アオコ群生体を水流・風等の空気流又はアオコ繁殖力等によって動力源をほとんど使用せずにゆっくりとアオコ群生体を水系の一定水域のアオコ群生体封鎖域に集約でき、そして集約させた水域内のアオコ群生体破砕装置によってシースを破砕して、アオコ群生体を破砕分解してアオコ単体にして、捕食微小生物生育装置の捕食微小生物でもって効率的に捕食させて効果的にアオコを除去することにある。
又は、アオコ群生体を一定水域のアオコ群生体封鎖域へ集約させ、集約したアオコ群生体をアオコ群生体破砕装置で水とともに吸引してシースを破砕してアオコ単体にして捕食水域に放出し、同域内で微小生物による捕食処理をすることで動力源を用いる機器を少なくし、低コストでアオコを排除できるようにすることにある。又、アオコ群生体封鎖域にアオコ群生体を集約することで、アオコ群生体吸引破砕装置の効率がよくなり、少ない台数で済ますことができる。
【課題を解決するための手段】
【００１１】
かかる課題を解決した本考案の構成は、
１）  河川・池又はダム湖の水系環境に発生するアオコの排除設備であって、
水系環境の水域の一区画をアオコ群生体の移動を遮断するアオコ群生体分画体で囲ってアオコ群生体封鎖域を形成するとともに、
前記アオコ群生体封鎖域を囲う前記アオコ群生体分画体の一部に、アオコ群生体封鎖域の域外から域内へアオコ群生体を移動させることができるアオコ群生体一方向移動手段を設け、前記アオコ群生体封鎖域の隣接した水域にアオコ単体を餌として捕食する水生の微小生物を多数生育させる捕食微小生物生育装置を複数配置した捕食水域を形成し、
前記アオコ群生体封鎖域内のアオコ群生体を水とともに吸引してアオコ群生体の基質のシースを破砕分散させてアオコ単体状態にして前記捕食水域内に放出するアオコ群生体破砕装置を複数設け、
水系環境に発生したアオコ群生体を一方向移動手段で域外から域内のアオコ群生体封鎖域へ集めて、同域でアオコ群生体破砕装置によってアオコ群生体のシースを破砕してアオコ単体にして、前記捕食水域内の捕食微小生物生育装置で生育した捕食微小生物で捕食させてアオコを減少させることを特徴とする、アオコの排除設備
２）  アオコ群生体一方向移動手段が、アオコ群生体分画体の水面に近い所要水深さで上下巾をもって開口した移動口を設け、前記移動口を閉鎖できる面積を有するアオコ群生体を通過させない遮断体の一辺を前記移動口の上辺又は下辺に止着し、前記遮断体がアオコ群生体封鎖域内側となるように遮断体の上下のいずれかの自由端にフロート又は重りを取付けた構造であり、水面に生じる表面水流によって遮断体が移動口を開閉してアオコ群生体封鎖域の域外から域内へアオコ群生体の一方向のみの移動を可能とした、前記１）記載のアオコの排除設備
３）  前記遮断体の下辺を移動口下辺に取り付け、遮断体の上辺にフロートを取り付けて、遮断体の上辺のフロートがアオコ群生体封鎖域内側になるように斜めにした、前記２）記載のアオコの排除設備
４）  前記遮断体の上辺を移動口上辺に取り付け、遮断体の下辺に所要の重さの重りを取り付けて、遮断体の下辺がアオコ群生体封鎖域内側になるようにした、前記２）記載のアオコの排除設備
５）  アオコ群生体破砕装置が、水とともに吸引したアオコ群生体をノズルから噴射して衝撃板に当てて放出する構造であり、アオコ群生体のシースが衝撃板との衝撃力で破砕分散してアオコ単体にして放出する構造のものである、前記１）〜４）いずれか記載のアオコの排除設備
６）  アオコ群生体破砕装置が、水中ポンプで水とともに吸引したアオコ群生体を衝突筒の中央の噴射孔から噴射して衝突筒の内面に当てて放出する構造であり、アオコ群生体のシースが衝突筒の筒内面との衝撃力で破砕分散してアオコ単体にして放出する構造のものである、前記１）〜５）いずれか記載のアオコの排除設備
７）  水系が河川でその支流が本流に合流する支流河口の本流との合流水域に支流河口を囲うようにアオコ群生体分画体を配置し、同アオコ群生体分画体で囲まれた支流河口水域をアオコ群生体封鎖域とし、同アオコ群生体封鎖域に隣接した本流の下流側に捕食微小生物生育装置を配置して捕食水域を形成した、前記１）〜６）いずれか記載のアオコの排除設備
８）  前記捕食微小生物生育装置が、水面上のフロートで浮上支持された水面部材から垂直に吊り下げられたアオコを捕食する水生の捕食微小生物の住処を与える生育吊下体を多数本吊下した構造である、前記１）〜７）いずれか記載のアオコの排除設備
９）  前記捕食微小生物生育装置の多数本吊下した生育吊下体の外周を囲むように底面が開放された筒状アオコ群生体遮断カーテンを水面部材に取付け、同筒状アオコ群生体遮断カーテンを左右に分けて開放できる縦長のファスナーを設けた、前記８）記載のアオコの排除設備
にある。
【考案の効果】
【００１２】
請求項１記載の本考案では、水系の一部にアオコ群生体の移動を遮断するアオコ群生体分画体で囲まれたアオコ群生体封鎖域を設け、水流・風（空気流）又はアオコ群生体の拡大増殖力によって動力源を用いずに水系に発生したアオコ群生体を一方向移動手段によってアオコ群生体封鎖域に集合させる。電気・化石燃料を使わずにアオコ群生体を集合させるので、ランニングコスト・設備コストを安価にできる。
そして、同アオコ群生体封鎖域に集合したアオコ群生体をアオコ群生体破砕装置によって、水とともに吸引してシースを破砕・分解してアオコ単体となるまで分離する。そして、アオコ単体に分離されたアオコは捕食水域へ放出される。ここで、捕食微小生物生育装置で繁殖した多数の捕食微小生物の餌となり、アオコは減少する。これによって、水系の水質も透明なものになる。
【００１３】
アオコ群生体一方向手段が請求項２，３，４の考案の如く、アオコ群生体分画体の一部の移動口を開閉する遮断体を重り又はフロートで斜めに保持することで自然の表面水によって開閉させることで一方向性に移動させるものは、簡単な構造と特別の動力源を使用せず、自然の力で一方向性移動を確保してアオコ群生体を一つの水域内に集合させることができるので、安価な設備で目的を達成できる。
【図面の簡単な説明】
【００１４】
【図１】図１は、実施例１の配置説明図である。
【図２】図２は、実施例２の配置説明図である。
【図３】図３は、実施例３の配置説明図である。
【図４】図４は、アオコ群生体一方向移動手段の構造例を示す断面図である。
【図５】図５は、アオコ群生体一方向移動手段の構造例の正面図である。
【図６】図６は、アオコ群生体一方向移動手段でフロートを使用した構造例を示す説明図である。
【図７】図７は、実施例のアオコ群生体破砕装置を示す平面図である。
【図８】図８は、実施例のアオコ群生体破砕装置を示す側面図である。
【図９】図９は、実施例の捕食微小生物生育装置の繊毛状吊下体を示す説明図である。
【図１０】図１０は、実施例の捕食微小生物生育装置の繊毛状吊下体の平面図である。
【図１１】図１１は、実施例の捕食微小生物生育装置の繊毛状吊下体の正面図である。
【考案を実施するための形態】
【００１５】
本考案のアオコ群生体分画体は、アオコ群生体を通過させない区画体であって、防水性がある固体壁でも又は通水性カーテンでもよく、河川・池の水面から水底まで垂直面を遮断するアオコ群生体遮断でもよく、又はアオコ群生体が主に生息する水面から所定深さまでの一定深さまでのアオコ群生体の移動を阻止する遮断体であってもよい。
【００１６】
本考案のアオコ群生体一方向移動手段は、アオコ群生体分画体にアオコ群生体が移動できる移動口を設け、同移動口を閉鎖できる遮断体を移動口に取付け、同遮断体が浮き、重り・ワイヤ等によって水流がない場合では移動方向性に基本的にあって、水の流れ（河川水流，表面水，対流水）・風によって生起する水流等・自然エネルギーで生じる水流の方向によって閉鎖・開放してアオコ群生体の移動の方向性を強め、アオコ群生体がアオコ群生体封鎖域への移動速度を高める構造が好ましい。
【００１７】
本考案のアオコ群生体破砕装置は、吸引ポンプの噴出の水流を衝撃受筒体に当てて打撃力でアオコ群生体のシースを破砕・分解させる方法以外に、超音波発生機・放電による破砕・キャビテーションによる破砕・爆発衝撃による破砕も可能であるが、処理設備の煩雑さ、安全性上で本実施例の如くポンプによる吸引水流のノズルからの噴出水流を衝撃体へ当てる方法が好ましい。
【００１８】
又、アオコ群生体のシースの破砕・分解によって微小生物補食対象のサイズがアオコ単体程に縮小し、捕食による浄化を効率的にできる。又、シース内の栄養・塩可溶化により浄化微小生物の吸収利用を促進し、捕食微小生物の増殖にもなる。
【００１９】
アオコ群生体破砕装置がシースを破砕分解した処理水の放出される位置の近くに、アオコ捕食微小生物生育装置を配置するのが、アオコ単体を迅速に捕食微小生物の餌として捕食できるので好ましい。
【実施例】
【００２０】
本考案の基本形態について、図１〜３に示している。
【００２１】
（実施例１，２，３の符号の説明）
図中、Ａはアオコ群生体、Ｂ１，Ｂ２，Ｂ３は同アオコ群生体Ａを通過させないアオコ群生体分画体、Ｂｆは同アオコ群生体分画体の上部に設けたフロート、ＢＫは同アオコ群生体分画体Ｂ１，Ｂ２に設けた開口である移動口、ＢＳは同移動口ＢＫを遮断できる遮断体、ＢＦは遮断体ＢＳの上辺に取付けたフロート、ＢＷは遮断体ＢＳの下辺に取付けた重り、Ｃはアオコ群生体破砕装置、Ｃ１はアオコ群生体破砕装置Ｃを水面に浮べるためのフロート部、Ｃ２は同フロート部Ｃ１に取付けられて下方から水及びアオコ群生体Ａを吸引する水中ポンプ、Ｃ３は噴射部、Ｃ４はシースを破砕分解する衝突筒、Ｃ５は水中ポンプＣ２と噴射部Ｃ３とを連絡するホースである。Ｆはアオコ群生体封鎖域、Ｈは捕食微小生物生育装置、Ｈ１は同装置Ｈを水面に浮かすためのフロート部、Ｈ２は同フロート部の外周を張架したネット、Ｈ３は同ネットから下方に垂下した多数の繊毛状吊下体、Ｈ４は同繊毛状吊下体の外周を囲った底なしの筒状のアオコ群生体遮断カーテン、Ｈ５は同アオコ群生体遮断カーテンＨ４のカーテン開閉用のファスナー、Ｒは本考案を施工する河川、ＯＷはアオコ群生体一方向移動手段で、実施例では移動口ＢＫ，遮断体ＢＳ，フロートＢＦ又は重りＢＷからなる。ＳＦは本考案の捕食水域である。
【００２２】
（実施例１）
図１に示す実施例１は請求項１記載の考案の河川Ｒでの実施形態例であり、河川Ｒに水は通過できるがアオコ群生体を通過させない重りＢＭで略垂直になっているアオコ群生体分画体Ｂ１，Ｂ２，Ｂ３を所定距離おいて横断的に配置し、そのアオコ群生体分画体Ｂ２，Ｂ３の間をアオコ群生体封鎖域Ｆとし、上流側のアオコ群生体分画体Ｂ１，Ｂ２の上部の一部に移動口ＢＫに設け、重りＢＷを下辺につけた遮断体ＢＳの上辺を移動口ＢＫの上辺に止着し、その重りＢＷを取付けた自由端がアオコ群生体封鎖域Ｆ側に入るように斜めにした図４，５に示す構造のアオコ群生体一方向移動手段ＯＷを設けている。
【００２３】
又、アオコ群生体封鎖域Ｆ内には図７，８に示すようなアオコ群生体破砕装置Ｃを配置している。この装置Ｃはフロート部Ｃ１で水面近くで浮いていて、水中ポンプＣ２でその下方から水及びアオコ群生体Ａを吸引して噴射部Ｃ３で外周の衝突筒Ｃ４へ向って噴出して、アオコ群生体Ａのシースを破砕分解して数μｍ程の大きさのアオコ単体ＡＳにして捕食水域ＳＦへ放出するアオコ群生体破砕装置Ｃを配置している。又、アオコ群生体封鎖域Ｆでアオコ群生体破砕装置Ｃの噴射部Ｃ３で破砕して放出する処理水の捕食水域ＳＦに捕食微小生物生育装置Ｈを複数台配置している。同捕食微小生物生育装置は水面のフロート部Ｈ１のネットＨ２から多数の捕食微小生物の動物性プランクトンを生育する繊毛状の吊下体Ｈ３を多数吊下し、その外周をアオコ群生体遮断カーテンＨ４を設け、動物性プランクトンの生育環境を良好にしている構造のものである。
【００２４】
この図１の実施例では、河川Ｒの上流から流されてくるアオコ群生体Ａは上流側のアオコ群生体分画体Ｂ１，Ｂ２で止められているが、図４に示すようにその移動口ＢＫに設けた遮断体ＢＳが河川の水流れの水圧で大きく開くことによってアオコ群生体Ａは移動口ＢＫから水流とともに移動して、アオコ群生体分画体Ｂ１，Ｂ２を経てアオコ群生体封鎖域Ｆ内に入り込み、更に水流によって下流側のアオコ群生体分画体Ｂ２の近くに移動する。
即ち、上流側のアオコ群生体分画体Ｂ１，Ｂ２の移動口ＢＫ，遮断体ＢＳ，その重りＢＷが本考案のアオコ群生体一方向移動手段ＯＷを形成している。
【００２５】
又、アオコ群生体封鎖域Ｆには図７，８に示すようなアオコ群生体破砕装置Ｃがあり、アオコ群生体封鎖域Ｆ内のアオコ群生体Ａを水とともに水中ポンプＣ２で吸引され、ホースＣ５によって噴射部Ｃ３へ圧送され、噴射部Ｃ３でアオコ群生体Ａを噴出させて衝突筒Ｃ４内面に衝突させてアオコ群生体のシースを破砕分解し、アオコ単体ＡＳの状態にしてアオコ群生体分画体Ｂ１，Ｂ２に囲まれる捕食水域ＳＦへ放出する。同時にシースを分解することでシースの有する毒性を薄め、水を浄化する。
【００２６】
アオコ群生体破砕装置Ｃから放出されたアオコ単体ＡＳは捕食水域ＳＦ内の同装置Ｃの近くに配置された複数の捕食微小生物生育装置Ｈ付近に到れば、同装置Ｈで生育されている多数の動物性プランクトンによって餌として捕食され、アオコは減少する。又、アオコ単体ＡＳは捕食水域ＳＦ内にあって、アオコ単体ＡＳは確実にこの域内で餌として捕食され、アオコを減少させてアオコを水系から排除する。
【００２７】
（実施例２）
図２に示す形態のタイプの実施例２について説明する。
この実施例２は、流れがゆるやかな河川Ｒの支流と本流との合流域に、支流河口を囲むようにアオコ群生体分画体Ｂ１を設け、同アオコ群生体分画体Ｂ１に囲まれた支流の河口をアオコ群生体封鎖域Ｆとし、上流側のアオコ群生体分画体Ｂ１に近い位置に実施例１と同じ構造のアオコ群生体破砕装置Ｃを配置する。同装置Ｃの水中ポンプＣ２はアオコ群生体封鎖域Ｆ内にあって、その上部をフロート部ＫＣ１で水面に浮上させるように配置し、その噴射部ＫＣ３，衝突筒ＫＣ４と放出口は本流内に配置され、アオコ群生体封鎖域Ｆの水とアオコ群生体Ａとを水中ポンプＣ２によって吸引して、捕食水域ＳＦにて噴射部Ｃ３の衝突筒Ｃ４内部で高圧水として筒内面に衝突させてアオコ群生体Ａを破砕分解し、シースを破砕し、アオコ単体にして放出する。アオコ単体は捕食水域ＳＦ内に広く分散されていく。
【００２８】
又、アオコ群生体分画体Ｂ１には移動口ＢＫが設けられ、この移動口ＢＫに図４，５に示すアオコ群生体一方向移動手段ＯＷが設けられている。これによって、本流の上流から移動してくるアオコ群生体Ａをこのアオコ群生体一方向移動手段ＯＷによってアオコ群生体分画体Ｂ１の内側のアオコ群生体封鎖域Ｆへ移動させる。又、アオコ群生体封鎖域Ｆは支流の上流からもアオコ群生体Ａが流れてきて集約されていく。集約したアオコ群生体Ａをアオコ群生体破砕装置Ｃでの破砕・放出は効率的に行える。
【００２９】
アオコ群生体封鎖域Ｆの下流側の本流内にある捕食水域ＳＦには、捕食微小生物生育装置Ｈが複数個列設している。
従って、アオコ単体ＡＳは下流方向に流されて捕食微小生物生育装置Ｈに近づくと、この装置Ｈの周辺には生育された動物性プランクトンが多数個体が存在するので、これら動物性プランクトンの餌として捕食され、アオコ単体は大巾に減少する。よって、その下流にはアオコは大巾に減少する。
【００３０】
（実施例３）
図３に示す実施例３は、ダムＤＭに流れ込む河川Ｒの上流にアオコ群生体分画体Ｂ１を設け、これにアオコ群生体一方向移動手段ＯＷを設けたもので、アオコ群生体封鎖域ＦはダムＤＭとアオコ群生体分画体Ｂ１で囲まれた水域であり、この一部に実施例１と同じ構造のアオコ群生体一方向移動手段ＯＷによってアオコ群生体封鎖域Ｆ内へ移動させ、集約したアオコ群生体Ａをアオコ群生体破砕装置Ｃで破砕分解してアオコ単体にしてその上流に設けた捕食水域ＳＦに放出する。アオコ群生体破砕装置Ｃの放出位置付近に設けた捕食微小生物生育装置Ｈで生育している多数の動物性プランクトンが放出されたアオコ単体ＡＳを補食してアオコを減少させるものである。
この実施例３はアオコ群生体一方向移動手段ＯＷの遮断体ＢＳはいずれもアオコ群生体封鎖域Ｆ内にあるように傾斜させている。
【００３１】
実施例中のアオコ群生体一方向移動手段ＯＷは図４，５に示している。図４，５はアオコ群生体分画体Ｂ１の上部の移動口ＢＫの上辺にこれを閉鎖できる遮断体ＢＳの上辺を止着し、アオコ群生体封鎖域Ｆの内側に遮断体ＢＳの下端が位置するように下端に重りＢＷを取付けている。域外からの水流が弱ければ、重りＢＷがその開へ回動に対する抗力（付勢力）となって移動口ＢＫは閉じたままとなる。そして、河川Ｒの水流が大きくなれば、重りＢＷの閉方向の付勢力に抗して遮断体ＢＳが開いて、アオコ群生体はアオコ群生体封鎖域Ｆへ移動できる。しかし、その場合でもアオコ群生体封鎖域Ｆから域外の上流への移動は水流があることからできないものとなって、一方向移動性が確保できる。
【００３２】
同様に、図６に示すアオコ群生体一方向移動手段ＯＷでは水面上のフロートＢｆで浮んでいるアオコ群生体分画体Ｂ１の移動口ＢＫの下辺に遮断体ＢＳの下辺が止着され、遮断体ＢＳの上辺にフロートＢＦが取付けられている。フロートＢＦがアオコ群生体封鎖域Ｆ内にあるように遮断体ＢＳを移動口ＢＫに対して取付けている。このアオコ群生体一方向移動手段ＯＷでは域Ｆ外側から域内へ向う水流があれば遮断体ＢＳが水圧で斜め方向に移動し、域外からアオコ群生体Ａは域Ｆ内へ移動できる。その水流の流れがない場合又は逆の方向の水流の場合遮断体ＢＳは移動口ＢＫを閉鎖する。よって、アオコ群生体Ａの一方向移動を可能としている。
【００３３】
実施例中の図７，８に示すアオコ群生体破砕装置Ｃについて説明する。
前記装置Ｃは上部のフロート部Ｃ１を有し、その水面に近い位置に吸引口を有するように水中ポンプＣ２を取付け、水中ポンプＣ２の吐水口をホースＣ５よって噴射部Ｃ３に接続し、同噴射部では水は水平方向に噴出され、衝突筒Ｃ４の内面に衝突して、アオコ群生体Ａは衝突と水圧とによって細かく破砕分解され、シースは分解・分散し、アオコ単体ＡＳの状態となって放出される。
【００３４】
実施例の図９〜１１で示す捕食微小生物生育装置Ｈは上部のフロート部Ｈ１によって水面に浮き、フロート部Ｈ１で囲まれる中央部分に水平なネットＨ２が張架され、同ネットＨ２から動物性プランクトンの住処となる繊毛状の長い吊下体Ｈ３が多数垂下されている。そして、フロート部Ｈ１の下方外周をアオコ群生体の進入を防ぐアオコ群生体遮断カーテンＨ４を設けている。Ｈ５はそのカーテンＨ４の開閉するファスナーである。これらの技術は公知であるので詳細は省略している。
【産業上の利用可能性】
【００３５】
本考案は、アオコ以外の水面に浮遊する水草又は浮遊生物体にも適用可能である。
【符号の説明】
【００３６】
Ａ    アオコ群生体
ＡＳ    アオコ単体
Ｒ    河川
Ｂ１，Ｂ２，Ｂ３    アオコ群生体分画体
ＳＦ    捕食水域
ＢＭ    重り
Ｂｆ    フロート
Ｆ    アオコ群生体封鎖域
ＢＫ    移動口
ＢＦ    フロート
ＢＷ    重り
ＢＳ    遮断体
ＯＷ    アオコ群生体一方向移動手段
Ｃ    アオコ群生体破砕装置
Ｃ１    フロート部
Ｃ２    水中ポンプ
Ｃ３    噴射部
Ｃ３１    噴射孔
Ｃ４    衝突筒
Ｃ５    ホース
ＤＭ    ダム
Ｈ    捕食微小生物生育装置
Ｈ１    フロート部
Ｈ２    ネット
Ｈ３    繊毛状吊下体
Ｈ４    アオコ群生体遮断カーテン
Ｈ５    ファスナー
【図１】
0003203774.tif 000003
【図２】
0003203774.tif 000004
【図３】
0003203774.tif 000005
【図４】
0003203774.tif 000006
【図５】
0003203774.tif 000007
【図６】
0003203774.tif 000008
【図７】
0003203774.tif 000009
【図８】
0003203774.tif 000010
【図９】
0003203774.tif 000011
【図１０】
0003203774.tif 000012
【図１１】
0003203774.tif 000013